(57)【要約】【課題】作業機ユニットのシャンク結合口をワンタッチで固定し、固定解除する。【解決手段】シャンク結合孔の後壁に下降傾斜面の開口部を設け、位置決めブロックを摺動可能に嵌装する。カムスライダを摺動可能に嵌装したベース部材をシャンク結合孔に一体結合する。ベース部材の軸受にロックアームの中間支点を軸支し、ロックアームにより位置決めブロックを押圧して結合孔内のシャンク位置決め凹部に係合させ、ロックアームの先端をフック部にロックする。ロックアームを逆方向へ回動することにより、ロックが解除されるとともに位置決めブロックが係合位置から後退し、シャンクの結合が解除される。ベース部材にスライド案内部内のカムスライダを押圧する弾性付勢部材を付設してもよく、ベース部材の軸受部材廻りに偏心軸受環を設け、ロックレバー支軸と偏心軸受環間に弾性Oリングを介装してもよい【選択図】図４
2013202041.tif 000002
【特許請求の範囲】
【請求項１】
作業アタッチメントのシャンクを嵌装するブラケット（１）のシャンク結合孔（２）と；このシャンク結合孔（２）の後壁（３）に上下面を下降傾斜切り口で開設した開口部（４）と；この開口部（４）に摺動可能に嵌装され、開口部（４）の内外に出没する位置決めブロック（５）と；枠体中央部に前記シャンク結合孔（２）に対して直角方向に延在するスライド案内部（６ａ）を設けるとともに、一端側の左右に軸受部材（６ｂ）を設け、前記位置決めブロック（５）に対向させて前記ブラケット（１）に一体結合させたベース部材（６）と；アーム（７ｂ）の中間支点軸（７ａ）を前記ベース部材（６）の軸受部材（６ｂ）に回動可能に軸支し、左右アーム（７ｂ）の後端側に揺動取手（７ｄ）を設けるとともに先端側に前記ベース部材（６）の先端フック部（６ｄ）に着脱される係止杆（７ｃ）を設けたロックレバー（７）と；前記ベース部材（６）のスライド案内部（６ａ）内に摺動可能に嵌装されるカムスライダ（８）と；からなり、前記位置決めブロック（５）は先端に前記開口部（４）内に臨む位置決め突起（５ａ）を有するとともに側面に係合ピン（５ｂ）を形成してなり、前記カムスライダ（８）は本体上部に前記ロックレバー（７）の先端側に上方から係合する押圧突起（８ａ）を有するとともに、この押圧突起（８ａ）下方の本体内部に前記位置決めブロック（５）の後面（５ｃ）に摺接するテーパー付きカム面（８ｂ）と、側面係合ピン（５ｂ）に下方から係合する引き抜き係合部（８ｃ）を有することを特徴とする農業機械アタッチメントのシャンク着脱機構
【請求項２】
ベース部材（６）にスライド案内部（６ａ）内のカムスライダ（８）を押圧する弾性付勢部材（９）を付設したことをさらに特徴とする請求項１記載のシャンク着脱機構
【請求項３】
ベース部材（６）の軸受部材（６ｂ）廻りに前方が厚肉の偏心軸受環（６ｃ）を一体に設け、前記ロックレバー（７）の中間支点軸（７ａ）と偏心軸受環（６ｃ）間に弾性Oリング（１０）を介装したことをさらに特徴とする請求項１又は２記載のシャンク着脱機構
【発明の詳細な説明】
【技術分野】
【０００１】
本発明は作業機本体ブラケットのシャンク結合口にアタッチメントのシャンクを位置変更自在に固定・固定解除する技術に関し、とくに、カルチベータのブラケットに設けたシャンク結合口にシャンクを所望位置においてワンタッチで固定・固定解除できるシャンク着脱機構に関する。
【背景技術】
【０００２】
図１に示すように、広い圃場で作業を行うカルチベータ１１などの農業機械はトラクタなどで牽引される横バー１２の後部に複数の作業ユニット１３を平列に配設し、圃場を牽引しながら培土などの各種作業を行う。
図２に示すように、各々の作業ユニット１３は中骨ビーム１４に固定したブラケット１の左右や後部に横形のシャンク結合口２が設けられており、このシャンク結合口２には培土爪１５などの作業アタッチメントの横シャンク１６が横方向へ固定位置可変に結合され、作物の大きさによって左右培土爪１５、１５間の作用幅を調節するようにしてある。
ところが従来のシャンク結合手段は、シャンク結合口２の後壁プレートに形成した螺子穴に、六角ナットを嵌装した押しボルトを螺着し、内部に挿入されたシャンクの所望位置を押しボルトで押圧した後、緩み止めの六角ナットを締めつけて固定しているため、シャンク作用幅の調節が煩雑である。特に、横シャンクの結合口２は一つのユニットに複数箇所設けられており、また、１台のカルチベータが作用幅の異なる複数種の作物に同時にあるいは交互に使用されることが多いため、結合口に結合するシャンクの作用幅調節頻度が多くなる。従って、従来の手段では時間と労力が膨大になり、作業効率に甚大な支障をきたしていた。
【先行技術文献】
【特許文献】
【０００３】
特開２０１０−２７９２７６号公報
【発明の概要】
【発明が解決しようとする課題】
【０００４】
したがって、本発明の目的は作業ユニットのシャンク結合口にアタッチメントの横シャンクをワンタッチで固定し、あるいは固定解除することができるシャンク着脱機構を提供することにある。
【課題を解決するための手段】
【０００５】
この目的を達成するために本発明のシャンク着脱機構は、作業アタッチメントのシャンクを嵌装するブラケットのシャンク結合孔と；このシャンク結合孔の後壁に上下面を下降傾斜切り口で開設した開口部と；この開口部に摺動可能に嵌装され、開口部の内外に出没する位置決めブロックと；枠体中央部に前記シャンク結合孔に対して直角方向に延在するスライド案内部を設けるとともに、一端側の左右に軸受部材を設け、前記位置決めブロックに対向させて前記ブラケットに一体結合させたベース部材と；アームの中間支点軸を前記ベース部材の軸受部材に回動可能に軸支し、左右アームの後端側に揺動取手を設けるとともに先端側に前記ベース部材の先端フック部に着脱される係止杆を設けたロックレバーと；前記ベース部材のスライド案内部内に摺動可能に嵌装されるカムスライダと；からなり、前記位置決めブロックは先端に前記開口部内に臨む位置決め突起を有するとともに側面に係合ピンを形成してなり、前記カムスライダは本体上部に前記ロックレバーの先端側に上方から係合する押圧突起を有するとともに、この押圧突起下方の本体内部に前記位置決めブロックの後面に摺接するテーパー付きカム面と、側面係合ピンに下方から係合する引き抜き係合部を有することを特徴とする。
【０００６】
好ましくは、上記シャンク着脱機構は、ベース部材の後部に、スライド案内部内のカムスライダを押圧する弾性付勢部材を一体付設してもよい。
【０００７】
さらに好ましくは、上記シャンク着脱機構は、ベース部材の軸受部材廻りに前方が厚肉の偏心軸受環を一体に設け、前記ロックレバーの中間支点軸と偏心軸受環間に弾性Oリングを介装してもよい。
【発明の効果】
【０００８】
本発明は上記の構成になるので、ロックレバーの揺動取手を上方へ回動させると、ロックレバーの係止杆がベース部材の先端フック部に係合し、シャンクがワンタッチで指定位置にロックされる。
【０００９】
他方、ロック状態からロックレバーの揺動取手を下方へ回動させると、ワンタッチで先端係止杆が外れ、係止杆がカムスライダの凹圧突起に係合してカムスライダを押し上げるのに伴ってカムスライダの引き抜き係合部が位置決めブロックの係合ピンに係合して位置決めブロックを開口部の下降傾斜面に沿って引き上げるため、横シャンクはシャンク結合孔内で摺動自在となる。
【図面の簡単な説明】
【００１０】
【図１】カルチベータの全体外観図
【図２】作業ユニット斜視図
【図３】本発明によるシャンク着脱機構の組付け分解図
【図４】異方向から見た図３相当図
【図５】位置決めブロックの拡大斜視図
【図６】カムスライダの前面拡大斜視図
【図７】本発明によるシャンク着脱機構の組付け解図
【図８】本発明によるシャンク着脱機構のロック組付け解図
【図９】本発明によるシャンク着脱機構の作用説明図
【図１０】本発明によるシャンク着脱機構の作用説明図
【図１１】本発明によるシャンク着脱機構の作用説明図
【発明を実施するための形態】
【００１１】
以下、本発明の実施例を添付の図面に基づいて説明する。
図において従来例と同一の符号は同一の部材を示している。
図３及び図４に示すように、カルチベータの中骨ビーム１４と一体の作業機ブラケット１に横形のシャンク結合口２が設けられ、このシャンク結合口２に培土爪などを一体結合した横シャンク１６が伸縮により幅調整可能に嵌装されるようになっている。
上記構成自体は従来のものと変わらないが、本発明のシャンク着脱機構は、基本的な構成として、シャンク結合口４の後壁３に形成した開口部４と、この開口部４に摺動可能に嵌装される位置決めブロック５と、中部にスライド案内部６ａを設け、前記の開口部４に対向して前記シャンク結合口２のブラケット後面に一体結合されるベース部材６と、このベース部材６の上部に揺動可能に設けたロックレバー７と、前記ベース部材６のスライド案内部６ａに嵌装されるカムスライダ―８と、を備えている。
なお、符号１６ａはシャンク１６の後面（前記開口部４との対向面）に形成した位置決め凹部である。
【００１２】
前記開口部４は開口上下面を下降傾斜切り口に形成し、開口部４に嵌装した位置決めブロック５が下降傾斜面に沿って上下、且つ、前後に摺動できるように組付けられる。
【００１３】
位置決めブロック５は、図５に拡大して示すように、前記開口部４に臨む先端に前記シャンク１６の係合凹部１６ａに対向する位置決め突起５ａを有するとともに、側面に後述するカムスライダ８の引き抜き敬具部８ｃに係合する係合ピン５ｂが設けられている。
【００１４】
ベース部材６は、前記のように枠体の中央部軸方向に前記カムスライダ８を受け入れるスライド案内部６ａを形成した枠体の先端にフック部６ｄを設けてあるとともに、枠体上部外側に前記ロックレバー７を軸支する左右軸受部材６ｂ、６ｂを一体に形成してなり、ボルト１７などでシャンク結合口２のブラケット後面に固着される。
【００１５】
ロックレバー７は左右アーム７ｂ、７ｂの中間支点軸７ａ、７ａを前記ベース部材６の左右軸受部材６ｂ、６ｂに回動可能に軸支し、左右アーム７ｂ、７ｂの後端側に揺動取手７ｄを設けるとともに、先端側に前記ブラケットに固定したベース部材６の先端フック部６ｄに着脱される係止杆７ｃが設けられている。
【００１６】
さらに、前記カムスライダ８は、図６に解りやすく示したように、本体上部に前記ロックレバー７の先端側に上方から係合する押圧突起８ａを有するとともに、この押圧突起８ａ下方の本体内部に前記位置決めブロック５の後面５ｃに摺接するテーパー付きカム面８ｂ（上部垂直面の下方に下降傾斜面を連設させた当接面）と、位置決めブロック５の側面の係合ピン５ｂに下方から係合する引き抜き係合部８ｃを有している。
この引き抜き係合部８ｃは、ロックレバー７によるカムスライド８の上方移動に伴って位置決めブロック５の係合ピン５ｂと係合させ、これにより、位置決めブロック５を開口部４の下降傾斜面を利用して斜め上方へ後退させるもので、略Ｕ字状の溝あるいは段部で構成することができる。
【００１７】
本発明のシャンク着脱機構は上記の構成部材により図７、図８のように組付けられるものであるが、はより好ましい実施例として、位置決めブロック５はベース部材６のスライド案内部６に挿入されるカムスライダ８のテーパー付きーカム面８ｂによってシャンク係合孔２側に押圧されるが、押圧力を増大させ、また隙間によるガタをなくすために、ベース部材６後部にカムスライダ８を位置決めブロック５押圧する弾性付勢部材９を設けてある。
図３及び図４の実施例ではこの弾性付勢部材９を皿バネ９ａに付勢される圧力ピン９ｂで構成してベース部材５の後部に設けたチャンバ１９内に圧縮収納してある。
【００１８】
さらに、図の実施例では、図３、図４に示すように、ベース部材６の軸受部材６ｂ、６ｂ廻りに前方が厚肉の偏心軸受環６ｃ、６ｃを一体に設け、前記ロックレバー７の中間支点軸７ａ、７ａと偏心軸受環６ｃ、６ｃ間に弾性Oリング１０、１０を介装し、これによりロックレバーがロック位置にあるときは、偏心軸受環６ｃ、６ｃの厚肉部に押し潰されて弾力的に変形されたOリング１０の反力により、ロックレバー７がロック位置から簡単には外れないようにしてある。
【００１９】
次に本発明の作用を説明する。
本発明は上記の構成になるので、図９に示すように、横シャンク１６を所望作用幅に設定してシャンク結合孔２に挿入したうえで、ベース部材６のスライド案内部６ａ内にカムスライダ８を挿入すると、カムスライダ８のテーパーカム面８ｂが開口部４内の位置決めブロック５をブラケット１のシャンク結合孔２に向けて押圧し、図１０のように位置決めブロック５の位置決め突起５ａがシャンク１６の位置決め凹部１６ａに嵌合する。
この状態でロックレバー７の揺動取手７ｄを上方へ回動させると図１０に示すようにロックレバー７の係止杆７ｃがベース部材６の先端フック部６ｄに係合し、シャンク１６を指定位置にロックする。
【００２０】
他方、図１０のロック状態からロックレバー７の揺動取手７ｄを下方へ回動させると、先端係止杆７ｃが外れ、ロックが解除されるとともに、係止杆７ｃがカムスライダ８の凹圧突起８ａに係合してカムスライダ８を押し上げるのに伴ってカムスライダ８の引き抜き係合部８ｃが位置決めブロック５の係合ピン５ｂに係合して位置決めブロック５を開口部４の下降傾斜面に沿って引き上げるため、シャンク１６はシャンク結合孔２内で摺動自在となる。
【００２１】
上記は横方向のシャンク結合孔２に横形シャンク１６を結合する場合を説明したが、本発明のシャンク着脱機構はこれに限定されるものではなく、縦方向のシャンク結合口に縦形シャンクを結合する場合にも適用され、これを含むものである。
【産業上の利用可能性】
【００２２】
本発明はカルチベータなどの作業機のシャンク着脱に広く利用され、着脱の煩雑さを解消し、作業効率の向上に資するものである。
【符号の説明】
【００２３】
１…作業機ブラケット
２…シャンク結合口
３…後壁
４…開口部
５…位置決めブロック
５ａ…位置決め突起
５ｂ…係合ピン
５ｃ…後面
６…ベース部材
６ａ…スライド案内部
６ｂ…軸受部材
６ｃ…偏心軸受環
６ｄ…先端フック部
７…ロックレバー
７ａ…中間支点軸
７ｂ…アーム
７ｃ…係止杆
７ｄ…揺動取手
８…カムスライダ
８ａ…押圧突起
８ｂ…テーパー付きカム面
８ｃ…引き抜き係合部
９ａ…皿バネ
９ｂ…圧力ピン
９…弾性付勢部材
１０…Oリング
１１…カルチベータ
１２…横バー
１３…作業ユニット
１４…中骨ビーム
１５…培土爪
１６…横シャンク
１６ａ…位置決め凹部
１７…ボルト
１８…ボルト孔
１９…チャンバ
【図１】
2013202041.tif 000003
【図２】
2013202041.tif 000004
【図３】
2013202041.tif 000005
【図４】
2013202041.tif 000006
【図５】
2013202041.tif 000007
【図６】
2013202041.tif 000008
【図７】
2013202041.tif 000009
【図８】
2013202041.tif 000010
【図９】
2013202041.tif 000011
【図１０】
2013202041.tif 000012
【図１１】
2013202041.tif 000013